(57)【要約】【課題】  カラオケ楽曲の演奏に際し、各利用者が装着した携帯マイクの音声信号出力を当該カラオケ楽曲の予約者に対応させて適切に制御する【解決手段】  利用者ＩＤを取得する利用者ＩＤ取得手段（カードリーダ１２ｅ）と、利用者ＩＤと各利用者が装着している携帯マイク１３のマイクＩＤとを紐付けして管理する利用者別携帯マイク管理手段２６と、利用者の利用者ＩＤと予約楽曲の楽曲ＩＤとを紐付けして管理する予約楽曲管理手段２７と、予約楽曲の演奏に際して、当該予約楽曲の楽曲ＩＤに紐付けられた利用者ＩＤが、利用者別携帯マイク管理テーブル２３ａに存在するか否かを判定する携帯マイク存在判定手段２８と、利用者ＩＤが存在すると判定された場合に、当該利用者ＩＤに紐付けられたマイクＩＤを有する携帯マイク１３からの音声信号出力のみをオンとする携帯マイク信号切替手段２９とを備える。【選択図】図１
2015143750.tif 000002
【特許請求の範囲】
【請求項１】
カラオケ楽曲の演奏に際し、各利用者が装着した携帯マイクの音声信号出力を当該カラオケ楽曲の予約者に対応させて制御するシステムであって、
各利用者がシステムログインした際に、各利用者の利用者ＩＤを取得する利用者ＩＤ取得手段と、
前記取得した利用者ＩＤと各利用者が装着している携帯マイクのマイクＩＤとを紐付けして、利用者別携帯マイク管理テーブルにて管理する利用者別携帯マイク管理手段と、
任意の利用者がカラオケ楽曲の予約を行う際に、当該利用者の利用者ＩＤと予約楽曲の楽曲ＩＤとを紐付けして、予約楽曲管理テーブルにて管理する予約楽曲管理手段と、
前記予約楽曲の演奏に際して、当該予約楽曲の楽曲ＩＤに紐付けられた利用者ＩＤが、前記利用者別携帯マイク管理テーブルに存在するか否かを判定する携帯マイク存在判定手段と、
前記利用者別携帯マイク管理テーブルに、前記予約楽曲の楽曲ＩＤに紐付けられた利用者ＩＤが存在する場合に、当該利用者ＩＤに紐付けられたマイクＩＤを有する前記携帯マイクからの音声信号出力のみをオンとする携帯マイク信号切替手段と、
を備えたことを特徴とする携帯マイクの音声信号出力制御システム。
【請求項２】
前記携帯マイク信号切替手段は、前記予約楽曲の演奏終了時に、すべての携帯マイクからの音声信号出力をオフとする、
ことを特徴とする請求項１に記載の携帯マイクの音声信号出力制御システム。
【請求項３】
前記携帯マイク信号切替手段は、前記予約楽曲の演奏終了時に、予め指定されたマイクＩＤを有する携帯マイクからの音声信号出力のみをオンとし、他のマイクＩＤを有する携帯マイクからの音声信号出力をオフとする、
ことを特徴とする請求項１に記載の携帯マイクの音声信号出力制御システム。
【請求項４】
前記携帯マイク信号切替手段は、さらに前記携帯マイクの音声信号入力をそれぞれ検出する検出手段を備え、
前記利用者別携帯マイク管理テーブルに、前記予約楽曲の楽曲ＩＤに紐付けられた利用者ＩＤが一つも存在しない場合に、前記携帯マイク信号切替手段は、前記予約楽曲の演奏開始後に前記検出手段により音声信号入力が検出された所定数の携帯マイクからの音声信号出力のみをオンとする、
ことを特徴とする請求項１乃至３のいずれか１項に記載の携帯マイクの音声信号出力制御システム。
【発明の詳細な説明】
【技術分野】
【０００１】
本発明は携帯マイクの音声信号出力制御システムに関するものであり、詳しくは、カラオケ楽曲の予約者が装着した携帯マイクの音声信号出力を適切にオンオフすることが可能なシステムに関するものである。
【背景技術】
【０００２】
カラオケボックスや、カラオケ演奏装置が設置されたいわゆるナイト店舗では、歌唱順番となった利用者がカラオケ楽曲を歌唱する際に、マイクが設置されたステージに移動し、あるいはマイクを手渡されて歌唱を行っている。
【０００３】
この際、利用者がステージに移動する前や、マイクを手にする前に、楽曲の演奏が開始して歌唱すべきタイミングとなってしまった場合には、歌唱開始のタイミングを逃してしまい、カラオケの興趣を削いでしまうという不都合があった。このような不都合を解消するため、種々の技術が提案されている（例えば、特許文献１、特許文献２参照）。
【０００４】
特許文献１に開示された技術は、歌い出しに失敗した歌唱者が現在の歌唱場所から移動することなく、自身が使っている携帯マイクスイッチを操作することで、速やかに楽曲を冒頭から再び演奏させることができるカラオケ装置に関する技術である。
【０００５】
すなわち、特許文献１のカラオケ演奏装置は、演奏手段と、ワイヤレスマイクと、受信手段と、制御手段を備えている。そして、演奏手段は、制御手段の制御に従ってカラオケ楽曲データを演奏し、ワイヤレスマイクは、送信手段の動作をオンオフさせるスイッチを有し、受信手段は、ワイヤレスマイクの受信信号から復調した歌声信号をアンプに供給するとともに、受信信号の有無をあらわす状態信号を出力し、制御手段は、演奏手段にカラオケ楽曲データを冒頭から演奏開始させ、所定期間内に状態信号が受信信号有りから無しに変化した際、当該楽曲を再び冒頭から演奏開始させるようになっている。
【０００６】
また、特許文献２に開示された技術は、歌唱補助機能を備える車載用カラオケシステムに関するものであり、カラオケ利用者に特別な操作や体勢を要求せずに、自動的に所望の搭乗者にのみ歌詞音声を聴取可能としたものである。
【０００７】
この車載用カラオケシステムは、メインスピーカの他に、各座席に対応して指向性スピーカが配置されている。また、楽曲データベースには、楽曲毎に少なくとも演奏データ及び当該演奏データに同期した歌詞音声データが記憶されている。そして、入力端子検出手段の機能により使用されているマイクが接続されているマイク入力端子を検出することで、使用マイク特定手段の機能により使用されているマイクを特定し、当該使用マイク特定情報に基づいて、出力調整手段の機能により、指向性スピーカを判別して切り替えて、歌詞音声出力部からの歌詞音声信号を出力させる構成となっている。
【先行技術文献】
【特許文献】
【０００８】
【特許文献１】特開２００７−５７８３７号公報
【特許文献２】特開２００８−２３３３２１号公報
【発明の概要】
【発明が解決しようとする課題】
【０００９】
ところで、カラオケを楽しむ施設として、上述したカラオケボックスやナイト店舗だけではなく、例えば、カラオケ演奏装置を搭載している屋形船等が存在する。屋形船は、カラオケボックスやナイト店舗と異なり、大人数が狭い船内で飲食や観覧等を行うための船舶であり、このような船舶の特色からして、カラオケを楽しむ場合に歌唱者が席を移動するのが困難な場合が多い。
【００１０】
すなわち、屋形船の乗客スペースは限られており、このスペースの中央部付近にテーブルを接地し、乗客は窓際に座る営業形態が一般的である。また、席の移動が他の乗客の邪魔になったり、むやみに席を移動すると船舶の重心バランスが崩れたり、移動中に波を受けて乗客が転倒したりする等、営業中は、極力、乗客の移動を抑制する必要がある。さらに、安全に移動できたとしても、狭い船内スペースを移動するため、歌唱者がステージに到着した際には、すでに歌唱タイミングが到来してしまうという、従来と同様の不都合もあった。このような不都合は、屋形船だけではなく、自らが予約したカラオケ楽曲を歌唱する際に、ステージ等へ移動することが困難な場合に生じる事態である。
【００１１】
このような状況において、特許文献１に記載された技術のように、カラオケ楽曲の冒頭部分を何度もリピートすると、歌唱を行わない乗客にとっては、せっかく盛り上がっていた宴会の興趣が削がれてしまうおそれがある。また、歌唱者にとってみれば、他の乗客に迷惑をかけないように、狭い船内スペースを速やかに移動しようとするあまり、飲食物が入ったコップや皿を倒してしまったり、自らが転倒してしまったりする等、不都合が生じるおそれがある。
【００１２】
また、特許文献２に記載された技術は、予め乗車位置が決まっている自動車内において有用な技術であるが、宴会では、席を移動することにより、宴会開始当初の着座位置と、宴会途中の着座位置とが異なるのが一般的である。この場合には、予め、歌唱者の着座位置とマイクＩＤとを紐付けて管理していても、歌唱者が当初の着座位置から移動してしまった場合には、適切にマイク入力信号の制御を行うことはできない。
【００１３】
本発明は上述した事情に鑑み提案されたもので、カラオケ楽曲の演奏に際し、各利用者が装着した携帯マイクの音声信号出力を当該カラオケ楽曲の予約者に対応させて適切に制御することが可能な携帯マイクの音声信号出力制御システムを提供することを目的とする。
【課題を解決するための手段】
【００１４】
本発明の携帯マイクの音声信号出力制御システムは、上述した事情に鑑み提案されたもので、以下の特徴点を有している。すなわち、本発明の携帯マイクの音声信号出力制御システムは、カラオケ楽曲の演奏に際し、各利用者が装着した携帯マイクの音声信号出力を当該カラオケ楽曲の予約者に対応させて制御するシステムであって、利用者ＩＤ取得手段と、利用者別携帯マイク管理手段と、予約楽曲管理手段と、携帯マイク存在判定手段と、携帯マイク信号切替手段とを備えたことを特徴とするものである。
【００１５】
利用者ＩＤ取得手段は、各利用者がシステムログインした際に、各利用者の利用者ＩＤを取得するための手段である。利用者別携帯マイク管理手段は、取得した利用者ＩＤと各利用者が装着している携帯マイクのマイクＩＤとを紐付けして利用者別携帯マイク管理テーブルにて管理するための手段である。予約楽曲管理手段は、任意の利用者がカラオケ楽曲の予約を行う際に、当該利用者の利用者ＩＤと予約楽曲の楽曲ＩＤとを紐付けして、予約楽曲管理テーブルにて管理するための手段である。
【００１６】
携帯マイク存在判定手段は、予約楽曲の演奏に際して、当該予約楽曲の楽曲ＩＤに紐付けられた利用者ＩＤが、利用者別携帯マイク管理テーブルに存在するか否かを判定するための手段である。携帯マイク信号切替手段は、利用者別携帯マイク管理テーブルに、予約楽曲の楽曲ＩＤに紐付けられた利用者ＩＤが存在する場合に、当該利用者ＩＤに紐付けられたマイクＩＤを有する携帯マイクからの音声信号出力のみをオンとするための手段である。
【００１７】
また、上述した構成からなる携帯マイクの音声信号出力制御システムにおいて、携帯マイク信号切替手段は、予約楽曲の演奏終了時に、すべての携帯マイクからの音声信号出力をオフとするように機能させることが可能である。
【００１８】
また、上述した構成からなる携帯マイクの音声信号出力制御システムにおいて、携帯マイク信号切替手段は、予約楽曲の演奏終了時に、予め指定されたマイクＩＤを有する携帯マイクからの音声信号出力のみをオンとし、他のマイクＩＤを有する携帯マイクからの音声信号出力をオフとするように機能させることが可能である。
【００１９】
また、上述した構成からなる携帯マイクの音声信号出力制御システムにおいて、携帯マイク信号切替手段は、さらに携帯マイクの音声信号入力をそれぞれ検出する検出手段を備えることが可能である。このような構成では、利用者別携帯マイク管理テーブルに、予約楽曲の楽曲ＩＤに紐付けられた利用者ＩＤが一つも存在しない場合に、携帯マイク信号切替手段は、予約楽曲の演奏開始後に検出手段により音声信号入力が検出された所定数の携帯マイクからの音声信号出力のみをオンとするように機能する。
【００２０】
このような構成からなる携帯マイクの音声信号出力制御システムでは、利用者がカラオケシステムにログインする際に、利用者ＩＤ取得手段の機能により、ＩＤカードや２次元バーコード等を利用して利用者ＩＤを取得する。また、各利用者にピンマイクやヘッドセットマイク等の携帯マイクを装着させて、利用者別携帯マイク管理手段の機能により、利用者ＩＤとマイクＩＤとを紐付けして、利用者別携帯マイク管理テーブルにて管理する。
【００２１】
利用者がカラオケ楽曲の予約を行う際に、自らの利用者ＩＤを付帯して選曲予約を行うと、予約楽曲管理手段の機能により、選曲予約を行った利用者の利用者ＩＤと予約楽曲の楽曲ＩＤとを紐付けして、予約楽曲管理テーブルを作成して管理する。
【００２２】
予約楽曲は、予約楽曲管理手段における管理に従って、順番に演奏される。そして、予約楽曲の演奏に際して、携帯マイク存在判定手段の機能により、予約楽曲の楽曲ＩＤに紐付けられた利用者ＩＤが、利用者別携帯マイク管理テーブルに存在するか否かを判定する。
【００２３】
ここで、利用者別携帯マイク管理テーブルに、予約楽曲の楽曲ＩＤに紐付けられた利用者ＩＤが存在すると、携帯マイク信号切替手段の機能により、演奏される予約楽曲に関して、利用者ＩＤに紐付けられたマイクＩＤを有する携帯マイクからの音声信号出力のみをオンとする。すなわち、選曲予約を行った利用者が装着した携帯マイクからの入力音声のみが出力されることとなり、当該利用者の存在位置には関係なく、歌唱を行うことができる。
【００２４】
また、携帯マイク信号切替手段の機能により、予約楽曲の演奏終了時に、すべての携帯マイクからの音声信号出力をオフとして、すべての利用者が装着している携帯マイクを初期状態（音声信号が出力されない状態）とする。
【００２５】
また、携帯マイク信号切替手段の機能により、例えば、司会者が装着している携帯マイク（予め指定されたマイクＩＤを有する携帯マイク）からの音声信号出力のみをオンとし、司会進行を行うことができるようにする。この際には、他のマイクＩＤ（予め指定されたマイクＩＤ以外のマイクＩＤ）を有する携帯マイクからの音声信号出力をオフとして、初期状態（音声信号が出力されない状態）とする。
【００２６】
また、予約楽曲の楽曲ＩＤと利用者ＩＤとが紐付けられていない（歌唱者が指定されていない）場合には、携帯マイク信号切替手段の機能により、予約楽曲の演奏開始後に音声信号入力が検出された所定数の携帯マイクからの音声信号出力のみをオンとする。
【発明の効果】
【００２７】
本発明の携帯マイクの音声信号出力制御システムでは、カラオケシステムにシステムログインした利用者の利用者ＩＤ、当該利用者ＩＤを有する利用者が装着している携帯マイクのマイクＩＤ、当該利用者の利用者ＩＤを付帯して予約した予約楽曲の楽曲ＩＤを関連付けて管理している。そして、予約楽曲の演奏を行う際に、予約楽曲の楽曲ＩＤに紐付けられた利用者ＩＤに基づいて、当該利用者ＩＤに紐付けられたマイクＩＤを有する携帯マイクからの音声信号出力をオンとして、他のマイクＩＤを有する携帯マイクからの音声信号出力はオンとしない。
【００２８】
したがって、演奏される予約楽曲を歌唱すべき利用者が装着した携帯マイクからのみ、音声信号出力が行われることになり、当該利用者の存在位置に関係なく歌唱音声が出力される。このため、歌唱を行うべき歌唱者及び他の歌唱者がともにカラオケの楽しさを十分に味わうことができる。また、歌唱すべき利用者以外の者が誤って歌唱してしまった場合であっても、誤って歌唱を始めた利用者の携帯マイクの歌唱音声は出力されないため、当該利用者に対して歌唱すべきカラオケ楽曲ではないことを報知することができるとともに、本来の歌唱者に不快感を与えることがない。
【００２９】
また、演奏終了時に、すべての携帯マイクからの音声信号出力をオフとすることにより、カラオケ楽曲が演奏されていない状態で、余分な音声が出力されることがなくなり、宴会等の雰囲気を損なうことがない。
【００３０】
さらに、演奏終了時に、予め指定されたマイクＩＤを有する携帯マイク（例えば、司会者が装着している携帯マイク）からの音声信号出力をオンとし、他の携帯マイクからの音声信号出力をオフとすることにより、宴会の司会進行を円滑に行うことができる。
【図面の簡単な説明】
【００３１】
【図１】本発明の実施形態に係る携帯マイクの音声信号出力制御システムの概略構成を示すブロック図。
【図２】利用者別携帯マイク管理テーブルの構成を示す模式図。
【図３】予約楽曲管理テーブルの構成を示す模式図。
【図４】予約楽曲の演奏と携帯マイクにおける音声信号出力のオンオフ制御の手順を示す説明図。
【発明を実施するための形態】
【００３２】
図面を参照して、本発明の携帯マイクの音声信号出力制御システムの実施形態について説明する。図１〜図３は本発明の実施形態に係る携帯マイクの音声信号出力制御システムを示すもので、図１は音声信号出力制御システムの概略構成を示すブロック図、図２は利用者別携帯マイク管理テーブルの構成を示す模式図、図３は予約楽曲管理テーブルの構成を示す模式図、図４は予約楽曲の演奏と携帯マイクのオンオフ制御の手順を示す説明図である。
【００３３】
＜携帯マイクの音声信号出力制御システムの概要＞
本発明の実施形態に係る携帯マイクの音声信号出力制御システムは、図１に示すように、カラオケ演奏装置１０を含むカラオケシステムに組み込まれて機能するシステムであって、利用者ＩＤ取得手段（カードリーダ１２ｅ）と、利用者別携帯マイク管理手段２６と、予約楽曲管理手段２７と、携帯マイク存在判定手段２８と、携帯マイク信号切替手段２９とを備えている。そして、各利用者に携帯マイク１３を装着させて、カラオケ楽曲の演奏に際して、当該カラオケ楽曲を予約した利用者が装着している携帯マイク１３からの音声信号出力のみをオンとすることにより、当該カラオケ楽曲を歌唱すべき利用者の歌唱音声のみを出力することができる。
【００３４】
以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００３５】
＜カラオケ演奏装置＞
本発明の実施形態に係る携帯マイクの音声信号出力制御システムを適用するカラオケ演奏装置１０は、図１に示すように、カラオケ本体１１、カラオケリモコン装置１２、複数の携帯マイク１３、スピーカ１４、表示装置１５、ミキシングアンプ１６を備えている。なお、図示しないが、カラオケ演奏装置１０は、ルータ及びデータ通信回線を介して、管理サーバとネットワーク接続されていてもよい。
【００３６】
＜カラオケリモコン装置＞
カラオケリモコン装置１２は、ユーザインタフェース機能を備えており、カラオケ本体１１の送受信手段２５を介して、カラオケ本体１１との間でデータの送受信を行うようになっている。このカラオケリモコン装置１２は、楽曲検索手段１２ａとして機能するプログラム、楽曲索引データベース１２ｂ、種々のデータを記憶するためのデータ記憶部１２ｃ、データの入出力を行うための入出力表示部１２ｄ、利用者ＩＤ取得手段として機能するカードリーダ１２ｅ等を備えている。このカラオケリモコン装置１２に付帯するスイッチ類や、入出力表示部１２ｄに表示される各種のアイコン等を操作することにより、選曲操作等が行われる。
【００３７】
＜楽曲検索手段／楽曲索引データベース＞
楽曲検索手段１２ａは、利用者の指示に基づき、楽曲索引データベース１２ｂを参照して楽曲を検索するためのプログラムからなる。楽曲索引データベース１２ｂは、カラオケ演奏装置１０で演奏に供されるカラオケ楽曲について、その属性情報を記述したデータベースであり、例えば、楽曲番号・曲名・アーティスト名・歌い出し部分の歌詞・流行時期・音楽ジャンル区分・デュエット曲か否かなど、種々の属性情報がこれに含まれている。
【００３８】
＜カードリーダ＞
カードリーダ１２ｅは、利用者ＩＤ取得手段として機能する電子機器及びプログラムからなり、各利用者がシステムログインした際に、各利用者の利用者ＩＤを取得する。すなわち、利用者ＩＤカードに記憶された利用者ＩＤをカードリーダ１２ｅにより読み取ることにより、利用者ＩＤを取得することができる。また、カラオケリモコン装置１２の入出力表示部１２ｄを用いて入力された利用者ＩＤ及びパスワードに基づいて取得してもよい。また、利用者が利用者ＩＤを所有していない場合には、カラオケ演奏装置１０を使用する際に、利用者に対して一時的に利用者ＩＤを付与してもよい。
【００３９】
＜携帯マイク＞
携帯マイク１３は、各利用者に装着されたピンマイクやヘッドセットマイク等からなり、歌唱音声の入力を行うための装置である。携帯マイク１３から入力された歌唱音声信号は、ミキシングアンプ１６により、音楽再生制御手段３０から送出される演奏音声信号とミキシングされると共に増幅され、スピーカ１４へ出力される。なお、図示しないが、携帯マイク１３からの音声入力信号をＡ／Ｄコンバータによりデジタル変換し、歌唱採点等に使用してもよい。
【００４０】
＜表示装置＞
表示装置１５は、カラオケ楽曲に関連した背景映像や歌詞テロップ等を表示するための装置で、例えば、液晶ディスプレイ等により構成される。
【００４１】
＜カラオケ本体＞
カラオケ本体１１は、中央制御手段２１、ＲＯＭ２２、ＲＡＭ２３、ＨＤＤ２４、送受信手段２５、利用者別携帯マイク管理手段２６、予約楽曲管理手段２７、携帯マイク存在判定手段２８、携帯マイク信号切替手段２９、音楽再生制御手段３０、映像再生制御手段３１を備えている。
【００４２】
＜中央制御手段＞
中央制御手段２１は、カラオケ本体１１を総合的に制御するための手段であり、例えばＣＰＵ及びその周辺機器により構成されており、ＣＰＵ等がＲＯＭ２２等に記憶されたプログラムに従って動作することにより、制御機能を発揮することができるようになっている。
【００４３】
＜ＲＯＭ／ＲＡＭ＞
ＲＯＭ２２は、カラオケ本体１１を構成する各機器を制御するためのプログラムデータや数値データを記憶するための機器で、例えば半導体メモリ等で構成される。また、ＲＡＭ２３は、プログラムや各種データを一時的に記憶する一時記憶領域として機能するもので、例えば半導体メモリ等で構成される。
【００４４】
本実施形態では、ＲＡＭ２３に、利用者別携帯マイク管理テーブル２３ａ及び予約楽曲管理テーブル２３ｂが記憶されている。利用者別携帯マイク管理テーブル２３ａ及び予約楽曲管理テーブル２３ｂについては、後に詳述する。
【００４５】
＜ＨＤＤ＞
ＨＤＤ２４は、大容量記憶装置として機能するもので、楽曲データベース２４ａ、映像データベース２４ｂが格納されている。なお、ＨＤＤ２４に替えて、あるいはＨＤＤ２４と共に、データを書き替え可能なＤＶＤ等の大容量記憶装置を用いてもよい。
【００４６】
＜楽曲データベース／映像データベース＞
楽曲データベース２４ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース２４ｂは、演奏されるカラオケ楽曲に対応した背景映像を、当該カラオケ楽曲の楽曲ＩＤに対応させた映像ファイルとして所定数格納したデータベースである。
【００４７】
＜送受信手段＞
送受信手段２５は、カラオケ本体１１とカラオケリモコン装置１２との間で、赤外線通信等によるデータの送受信を行うための電子機器及びプログラムからなる。
【００４８】
＜利用者別携帯マイク管理手段＞
利用者別携帯マイク管理手段２６は、取得した利用者ＩＤと各利用者が装着している携帯マイク１３のマイクＩＤとを紐付けして、利用者別携帯マイク管理テーブル２３ａにて管理するための手段である。なお、図示しないが、利用者ＩＤとマイクＩＤとの紐付けは、管理者による手動入力により、あるいは管理装置を用いた自動入力により行われる。この際、携帯マイク１３にマイクＩＤを記憶した記憶チップを内蔵しておくことにより、近接無線通信等の手段を用いてマイクＩＤを読み込むことができる。
【００４９】
あるいは、カラオケ装置１０にネットワーク接続された管理サーバ（図示せず）に設けられた利用者データベースに利用者ＩＤに対応する声紋を登録しておき、各携帯マイク１３に入力された利用者の音声から声紋を得るプログラムを利用者別携帯マイク管理手段２６に備え、カラオケ装置１０において取得した利用者ＩＤに対応する声紋を管理サーバより取得し、利用者別携帯マイク管理手段２６にて取得した各声紋と照合して、紐付けするよう構成してもよい。
【００５０】
＜利用者別携帯マイク管理テーブル＞
利用者別携帯マイク管理テーブル２３ａは、図２に示すように、システムログインした利用者の利用者ＩＤと、当該利用者が装着する携帯マイク１３のマイクＩＤとを紐付けして作成したテーブルである。なお、既にシステムログインした利用者がログアウトした場合、あるいは携帯マイク１３の使用を終了した場合には、利用者別携帯マイク管理テーブル２３ａから該当するデータが消去される。
【００５１】
＜予約楽曲管理手段＞
予約楽曲管理手段２７は、任意の利用者がカラオケ楽曲の予約を行う際に、当該利用者の利用者ＩＤと予約楽曲の楽曲ＩＤとを紐付けして、予約楽曲管理テーブル２３ｂにて管理するためのプログラムからなる。すなわち、予約楽曲管理手段２７は予約楽曲管理テーブル２３ｂを作成し、この予約楽曲管理テーブル２３ｂをＲＡＭ２３に格納して管理する。この際、予約楽曲管理テーブル２３ｂに予約者の利用者ＩＤを含めることにより、予約者を特定することができる。
【００５２】
＜予約楽曲管理テーブル＞
予約楽曲管理テーブル２３ｂは、図３に示すように、利用者により楽曲検索手段１２ａの機能を用いて選曲された楽曲ＩＤを演奏順に並べて作成したテーブルである。上述したように、予約者を特定して選曲予約を行う場合には、予約楽曲管理テーブル２３ｂにおいて、楽曲ＩＤと、選曲者の利用者ＩＤとが紐付けられる。さらに、予約楽曲管理テーブル２３ｂを作成する際に、利用者別携帯マイク管理テーブル２３ａを参照して、利用者ＩＤに対応するマイクＩＤが存在すれば、当該マイクＩＤを、楽曲ＩＤ及び利用者ＩＤに紐付けして、予約楽曲管理テーブル２３ｂを作成してもよい。
【００５３】
＜携帯マイク存在判定手段＞
携帯マイク存在判定手段２８は、予約楽曲の演奏に際して、当該予約楽曲の楽曲ＩＤに紐付けられた利用者ＩＤが、利用者別携帯マイク管理テーブル２３ａに存在するか否かを判定するためのプログラムからなる。すなわち、予約されたカラオケ楽曲が演奏される際に、携帯マイク存在判定手段２８の機能により、予約楽曲管理テーブル２３ｂにおいて、当該予約楽曲の楽曲ＩＤに利用者ＩＤが紐付けられており、さらに、利用者別携帯マイク管理テーブル２３ａにおいて、当該利用者ＩＤと紐付けられたマイクＩＤが存在するか否かを判定する。
【００５４】
なお、楽曲ＩＤに紐付けられた利用者ＩＤが存在するか否かを判定するタイミングとしては、予約楽曲が演奏される適宜のタイミング、例えば演奏が開始される直前のタイミング等とすることができるが、予約楽曲が演奏される数曲前のタイミングにて判定を行ってもよい。
【００５５】
＜携帯マイク信号切替手段＞
携帯マイク信号切替手段２９は、利用者別携帯マイク管理テーブル２３ａに、予約楽曲の楽曲ＩＤに紐付けられた利用者ＩＤが存在する場合に、当該利用者ＩＤに紐付けられたマイクＩＤを有する携帯マイク１３からの音声信号出力のみをオンとするためのプログラムからなる。
【００５６】
本実施形態では、カラオケ楽曲が演奏されていない場合は、原則として、すべての携帯マイク１３からの音声信号出力がオフとなっている。そして、予約楽曲管理テーブル２３ｂにおいて、当該予約楽曲の楽曲ＩＤについて、予約者の利用者ＩＤとマイクＩＤとを特定することができた場合には、当該利用者ＩＤに紐付けられたマイクＩＤを有する携帯マイク１３からの音声信号出力をオンとして、その他のマイクＩＤを有する携帯マイク１３からの音声信号出力はオフのままとする。これにより、カラオケ楽曲を演奏する際に、当該カラオケ楽曲を予約した利用者の携帯マイク１３からの音声信号のみが出力されることになる。
【００５７】
また、本実施形態では、カラオケ楽曲が演奏される際に利用者ＩＤとマイクＩＤとを特定できた場合に、携帯マイク１３からの音声信号出力をオンしているが、予約楽曲が演奏される数曲前に利用者ＩＤとマイクＩＤを特定しておき、予約楽曲の演奏開始時に携帯マイク１３の音声信号をオンしてよい。
【００５８】
なお、例えばデュエット曲のように、複数の利用者が歌唱を行うカラオケ楽曲の場合には、選曲予約を行う際に、楽曲ＩＤに複数の利用者の利用者ＩＤを紐付けて、予約楽曲管理テーブル２３ｂを作成すればよい。これにより、当該予約楽曲の演奏に際して、複数の利用者が装着した携帯マイク１３からの音声信号出力をオンとすることができる。
【００５９】
また、携帯マイク信号切替手段２９は、上述した機能に加えて、予約楽曲の演奏終了時に、すべての携帯マイク１３からの音声信号出力をオフとするように機能させることができる。これにより、カラオケ楽曲の演奏が終了すると、すべての携帯マイク１３の音声信号出力が初期状態（オフ）となる。
【００６０】
また、携帯マイク信号切替手段２９は、予約楽曲の演奏終了時に、予め指定されたマイクＩＤを有する携帯マイク１３からの音声信号出力のみをオンとし、他のマイクＩＤを有する携帯マイク１３からの音声信号出力をオフとするように機能させることができる。これにより、予約楽曲の演奏が終了すると、例えば、司会者が装着した携帯マイク１３の音声信号出力のみをオンとして、他の利用者の音声が邪魔にならずに、円滑に司会進行を行うことができる。
【００６１】
＜音楽再生制御手段＞
音楽再生制御手段３０は、楽曲ＩＤに基づいて演奏データから抽出された演奏制御データに基づいて、音源データをデジタル再生するとともにアナログ変換してミキシングアンプ１６に出力するための電子回路である。また、ミキシングアンプ１６は、携帯マイク１３から入力された歌唱者の歌唱音声信号と、音楽再生制御手段３０から送出される演奏音声信号とをミキシングすると共に、アンプ機能により増幅してスピーカ１４より出力するための装置である。
【００６２】
＜映像再生制御手段＞
映像再生制御手段３１は、カラオケ楽曲の演奏中に、映像データベース２４ｂから抽出した背景映像データと、演奏データに含まれる歌詞描出データに基づいて作成される歌詞文字とを、当該カラオケ楽曲の演奏データに同期させて表示装置１５に出力する。
【００６３】
＜楽曲演奏と携帯マイクからの音声信号出力の切替＞
本実施形態の携帯マイク１３の音声信号出力制御システムでは、図４に示すように、予約楽曲管理テーブル２３ｂに従って、予約されたカラオケ楽曲が順番に演奏される。この際、予約楽曲の演奏開始前に、携帯マイク存在判定手段２８の機能により、当該予約楽曲の楽曲ＩＤに紐付けられた利用者ＩＤが、利用者別携帯マイク管理テーブル２３ａに存在するか否かを判定する。
【００６４】
図４に示す例では、予約楽曲管理テーブル２３ｂにおいて、楽曲ＩＤ「＊＊＊＊＊１」に利用者ＩＤ「ａｂｃ００５」が紐付けされており、さらに、利用者別携帯マイク管理テーブル２３ａにおいて、当該利用者ＩＤ「ａｂｃ００５」に紐付けされたマイクＩＤ「Ａ＊＊＊＊５」が存在している。この場合、当該マイクＩＤ「Ａ＊＊＊＊５」を有する携帯マイク１３の音声信号出力のみをオンとし、他の携帯マイク１３の音声信号出力はオフとする。
【００６５】
また、携帯マイク存在判定手段２８の機能により、当該予約楽曲の楽曲ＩＤに紐付けられた利用者ＩＤが、利用者別携帯マイク管理テーブル２３ａに一つも存在しなかった場合には、所定の携帯マイク１３の音声信号出力のみをオンとするよう構成してもよい。より具体的には、携帯マイク信号切替手段２９は各携帯マイク１３からの音声信号入力の有無をそれぞれ検出する検出手段を備え、当該予約楽曲の演奏開始後に音声信号入力が検出された携帯マイク１３のうちの所定数、例えば検出の早い順に１または２程度の携帯マイクの音声信号出力のみをオンとすることにより、当該予約楽曲の演奏開始後に誰も歌唱できないという事態を避けることができるとともに、歌唱意欲の高い利用者が歌唱を楽しむことができる。
【００６６】
これにより、利用者ＩＤ「ａｂｃ００５」の利用者の存在場所がどこであっても、当該利用者の携帯マイク１３（マイクＩＤ「Ａ＊＊＊＊５」）からの歌唱音声のみが出力されるため、予約楽曲を歌唱すべき利用者のみが歌唱を行うことができ、携帯マイク１３の音声信号出力を適切に制御することが可能となる。
【００６７】
そして、当該予約楽曲の演奏が終了すると、すべての携帯マイク１３の音声信号出力をオフとするが、この際、予め指定されたマイクＩＤ「Ａ＊＊＊＊１」を有する携帯マイク１３からの音声信号出力のみをオンとする。このマイクＩＤ「Ａ＊＊＊＊１」を有する携帯マイク１３は、例えば、利用者ＩＤ「ａｂｃ００１」の司会者が装着した携帯マイク１３であり、予約楽曲の演奏が行われていない場合に、司会者の音声を出力することができるので、円滑な司会進行を行うことができる。
【００６８】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６９】
１０  カラオケ演奏装置
１１  カラオケ本体
１２  カラオケリモコン装置
１２ａ  楽曲検索手段
１２ｂ  楽曲索引データベース
１２ｃ  データ記憶部
１２ｄ  入出力表示部
１２ｅ  カードリーダ
１３  携帯マイク
１４  スピーカ
１５  表示装置
１６  ミキシングアンプ
２１  中央制御手段
２２  ＲＯＭ
２３  ＲＡＭ
２３ａ  利用者別携帯マイク管理テーブル
２３ｂ  予約楽曲管理テーブル
２４  ＨＤＤ
２４ａ  楽曲データベース
２４ｂ  映像データベース
２５  送受信手段
２６  利用者別携帯マイク管理手段
２７  予約楽曲管理手段
２８  携帯マイク存在判定手段
２９  携帯マイク信号切替手段
３０  音楽再生制御手段
３１  映像再生制御手段
４０  ＩＤカード
【図１】
2015143750.tif 000003
【図２】
2015143750.tif 000004
【図３】
2015143750.tif 000005
【図４】
2015143750.tif 000006